(57)【要約】【課題】ポイントカード等多くのカードを管理するには財布の中以外に、別途カードケース等が必要になる場合があるが、これにより荷物が増える。  又、支払い時に貨幣、紙幣、及びカード類の取り出しがスムーズに進まないと会計に時間を要し、購入後は購入品の収納、運搬が必要だが、貨幣、紙幣、及びカード類の収納がスムーズに進まないと気持ちが焦り、忘れ物等の思わぬトラブルになることがある。【解決手段】使用頻度の低いカードの収納部と高いカードの収納部を分け、沢山のカードが収納でき、かつ財布本体の膨らみを抑えるための折り返し片と留め具を有するとともに、前記折り返し片を同一方向に向いた貨幣、紙幣、及びカード類の取り出し口に被せる特定の構造を有することで貨幣収納部自体に留め具を有さず、貨幣、紙幣、及びカード類の飛び出しを防ぐとともに、スムーズに支払ができる二つ折り財布を提供する。【選択図】図１
2019155042.tif 000002
【特許請求の範囲】
【請求項１】
貨幣収納部１０、紙幣収納部２０、及びカード類収納部３０の取り出し口が同一方向で、かつ、取り出し口が近傍する上辺部４０に対して第１略垂直方向に折り返し可能で、かつ開閉可能な上辺部４０側に固定した第１折り返し片５０を少なくとも１つ以上有し、かつ、第１折り返し片５０に設けた少なくとも１つ以上の第１留め具６０と、財布を折り畳んだ際に第１留め具６０と対をなす下辺部４１に対し第２略垂直方向に折り返し可能で、かつ開閉可能な下辺部４１側に固定した第２折り返し片５１を少なくとも１つ以上有し、かつ、第２折り返し片５１に設けた少なくとも１つ以上の第２留め具６１を用いて第１折り返し片５０と貨幣収納部１０、紙幣収納部２０、及びカード類収納部３０の取り出し口との隙間Ａの間隔が調節可能な構造を有することを特徴とする二つ折り財布。
【請求項２】
貨幣収納部１０、紙幣収納部２０、及びカード類収納部３０の取り出し口が同一方向で、かつ、取り出し口が近傍する上辺部４０に対して第１略垂直方向に折り返し可能で、かつ開閉可能な上辺部４０側に固定した第１折り返し片５０を少なくとも１つ以上有し、かつ、第１折り返し片５０に設けた少なくとも１つ以上の第１留め具６０と、財布を折り畳んだ際に第１留め具６０と対をなす財布本体の表面部４２上に設けた少なくとも１つ以上の第３留め具６２を用いて第１折り返し片５０と貨幣収納部１０、紙幣収納部２０、及びカード類収納部３０の取り出し口との隙間Ａの間隔が調節可能な構造を有することを特徴とする二つ折り財布。
【請求項３】
隙間Ａの間隔は０〜２０ｍｍ、かつ、上辺部４０を基準として貨幣収納部１０の取り出し口の高さＢは−２０〜２０ｍｍ、かつ、カード類収納部３１の奥行Ｃが０〜４０ｍｍ、かつ、第１折り返し片５０の横幅Ｄの長さは第１折り返し片５０の横幅Ｄと貨幣収納部１０の取り出し口の横幅Ｅとを中央揃えにした際、Ｄ−４０ｍｍ≦Ｅ≦Ｄ＋４０ｍｍの式を満たす範囲内、かつ、財布本体の裏面部４５の横幅Ｆは７０〜１２０ｍｍ、かつ、財布本体の裏面部４５の高さＧは６０〜１８０ｍｍとなることを特徴とする請求項１又は、請求項２記載の二つ折り財布。
【請求項４】
カード類収納部３０が第１カード類収納部３１を少なくとも１つ以上持ち、かつ、第２カード類収納部３２、及び、又は、第３カード収納部３３を少なくとも１つ以上持つことを特徴とする請求項１又は、請求項２記載の二つ折り財布。
【請求項５】
貨幣収納部１０の下辺部側４１に小物収納部７０を設けることを特徴とする請求項１又は、請求項２記載の二つ折り財布。
【発明の詳細な説明】
【技術分野】
【０００１】    本発明は、厚みのある二つ折り財布に折り返し片と留め具を設けることによって財布の不意な開きを防止し、更に、支払い時にスムーズに貨幣、紙幣及びカード類が取り出せ、かつ、おつりをスムーズに収納できる二つ折り財布に関する。
【背景技術】
【０００２】    非特許文献１には、貨幣、紙幣及びカード類取り出し口が様々な方向の二つ折り財布が開示されている。又、厚みのある二つ折り財布は折り畳んだ状態で開かないように保持するために折り曲げた辺部と逆側の辺部に設けた折り返し片と留め具を有する二つ折り財布も開示されている。更に、貨幣収納部に貨幣の落下を防止するために留め具が付いている二つ折り財布も開示されている。又、カード類は、仕切り板を用い、ずらして並べることで使用したいカードが見つけ易い二つ折り財布も開示されている。
【非特許文献】
【０００３】
【非特許文献１】「クラフトカタログＮｏ．４８  ２０１７年２月  改訂版」，クラフト社，ｐ．７２
【発明の概要】
【発明が解決しようとする課題】
【０００４】    しかしながら、非特許文献１に記載の貨幣、紙幣及びカード類等取り出し口が様々な方向にある二つ折り財布や、財布本体の折り返し片の留め具と貨幣収納部の留め具を有する二つ折り財布は、支払い時に留め具を外す動作が多く必要で、スムーズに支払いを行えない問題がある。又、カード類収納部は仕切り板自体に厚みのある財布や、仕切り板を用いてカード類を見やすいように、ずらし並べた財布は、この構造により財布本体が大きくなり、財布自体が取り扱い難くなる問題がある。本発明は、財布本体の大きさを大きくせずともカード類収納量を減らさず、かつ、使用頻度の低いカード類をまとめて収納でき、かつ、使用頻度の高いカード類を別のカード類収納部に入れることができ、かつ、支払い時に貨幣収納部の留め具を外す手間がなく、二つ折り財布の留め具を有する折り返し片のみを開くことで財布を様々な方向に傾けることなくスムーズに貨幣、紙幣及び使用頻度の高いカード類を取り出し易く、かつ、収納し易く、かつ、沢山のカード類を収納できるコンパクトな二つ折り財布を提供することを目的とする。
【課題を解決するための手段】
【０００５】    上記目的を達成するため、本発明は以下に記載の二つ折り財布を提供する。
＜１＞貨幣収納部１０、紙幣収納部２０、及びカード類収納部３０の取り出し口が同一方向で、かつ、取り出し口が近傍する上辺部４０に対して第１略垂直方向に折り返し可能で、かつ開閉可能な上辺部４０側に固定した第１折り返し片５０を少なくとも１つ以上有し、かつ、第１折り返し片５０に設けた少なくとも１つ以上の第１留め具６０と、財布を折り畳んだ際に第１留め具６０と対をなす下辺部４１に対し第２略垂直方向に折り返し可能で、かつ開閉可能な下辺部４１側に固定した第２折り返し片５１を少なくとも１つ以上有し、かつ、第２折り返し片５１に設けた少なくとも１つ以上の第２留め具６１を用いて第１折り返し片５０と貨幣収納部１０、紙幣収納部２０、及びカード類収納部３０の取り出し口との隙間Ａの間隔が調節可能な構造を有することを特徴とする。
＜２＞貨幣収納部１０、紙幣収納部２０、及びカード類収納部３０の取り出し口が同一方向で、かつ、取り出し口が近傍する上辺部４０に対して第１略垂直方向に折り返し可能で、かつ開閉可能な上辺部４０側に固定した第１折り返し片５０を少なくとも１つ以上有し、かつ、第１折り返し片５０に設けた少なくとも１つ以上の第１留め具６０と、財布を折り畳んだ際に第１留め具６０と対をなす財布本体の表面部４２上に設けた少なくとも１つ以上の第３留め具６２を用いて第１折り返し片５０と貨幣収納部１０、紙幣収納部２０、及びカード類収納部３０の取り出し口との隙間Ａの間隔が調節可能な構造を有することを特徴とする。
＜３＞隙間Ａの間隔は０〜２０ｍｍ、かつ、上辺部４０を基準として貨幣収納部１０の取り出し口の高さＢは−２０〜２０ｍｍ、かつ、カード類収納部３１の奥行Ｃが０〜４０ｍｍ、かつ、第１折り返し片５０の横幅Ｄの長さは第１折り返し片５０の横幅Ｄと貨幣収納部１０の取り出し口の横幅Ｅとを中央揃えにした際、Ｄ−４０ｍｍ≦Ｅ≦Ｄ＋４０ｍｍの式を満たす範囲内、かつ、財布本体の裏面部４５の横幅Ｆは７０〜１２０ｍｍ、かつ、財布本体の裏面部４５の高さＧは６０〜１８０ｍｍとなることを特徴とする＜１＞又は、＜２＞記載の二つ折り財布。
＜４＞カード類収納部３０が第１カード類収納部３１を少なくとも１つ以上持ち、かつ、第２カード類収納部３２、及び、又は、第３カード収納部３３を少なくとも１つ以上持つことを特徴とする＜１＞又は、＜２＞記載の二つ折り財布。
＜５＞貨幣収納部１０の下辺部側４１に小物収納部７０を設けることを特徴とする＜１＞又は、＜２＞記載の二つ折り財布。
【発明の効果】
【０００６】    本発明によれば、財布本体の留め具を有した折り返し片を開けると各収納部の取り出し口が同一方向で、貨幣、紙幣、及び使用頻度の高いカード類が取り出し、収納し易く、貨幣においては、貨幣収納部に留め具がないため、貨幣が取り出し、収納し易く、かつ、貨幣収納部の下部に小物収納部位を設けた場合には貨幣収納部が浅くなり、更に貨幣が取り出し易くなる。【０００７】    又、使用頻度の低いカードは、沢山のカード類を収納できる収納部に収納できるため、別途カードケースは必要なくなる。
【図面の簡単な説明】
【０００８】
【図１】本発明の実施形態に係る財布の構成を示す斜視図である。
【図２】図１の財布を二つ折に折り畳み、折り返し片を閉じた状態を示す側面図である。
【図３】図１の財布の折り返し片を閉じた状態を示す側面図である。
【図４】本発明に係る財布を二つ折に折り畳み、折り返し片を閉じた状態を示す正面図である。
【図５】本発明の実施形態に係る財布を二つ折りに折り畳み、折り返し片を開いた状態を示す背面図である。
【発明を実施するための形態】
【０００９】    以下、添付図を参照しながら、本発明の実施形態に係る財布について詳細を説明するが、本発明はこれらに限定するものではない。
【００１０】    図１は、貨幣収納部１０、紙幣収納部２０、及びカード類収納部３０の取り出し口が同一方向で上辺部４０に第１折り返し片５０と下辺部４１に第２折り返し片５１、貨幣収納部１０の位置、カード収納部３０の構成、及び貨幣収納部の下辺部４１側にある小物収納部７０の位置を示す図である。
【００１１】    かつ、上辺部４０を基準として貨幣収納部１０の取り出し口の高さＢは−２０〜２０ｍｍが好ましく、−１５〜１５ｍｍがより好ましく、−１０〜１０ｍｍが更に好ましく、最も好ましくは０〜５ｍｍである。かつ、カード類収納部３１の奥行Ｃは０〜４０ｍｍが好ましく、最も好ましくは１０〜２０ｍｍである。かつ、第１折り返し片５０の横幅Ｄの長さは第１折り返し片５０の横幅Ｄと貨幣収納部１０の取り出し口の横幅Ｅを中央揃えにした際、Ｄ−４０ｍｍ≦Ｅ≦Ｄ＋４０ｍｍの式を満たす範囲内が好ましく、Ｄ−５ｍｍ≦Ｅ≦Ｄ＋５ｍｍの式を満たす範囲内が最も好ましい。
【００１２】    各寸法をこの範囲とすることで、貨幣の不意な飛び出しを防ぎつつ、貨幣、紙幣、及びカード類が取り出し易く、収納し易い二つ折り財布となる。
【００１３】    図２は、上辺部４０に対して第１略垂直方向に折り返し可能な上辺部４０側に固定した第１折り返し片５０を折り畳んだ際の第１折り返し片５０と貨幣収納部１０、紙幣収納部２０、及びカード類収納部３０の取り出し口との隙間Ａと隙間Ａの間隔を調整するための第１折り返し片５０に設けた第１留め具６０と対をなす下辺部４１に対して第２略垂直方向に折り返し可能な下辺部４１側に固定した第２折り返し片５１に設けた第２留め具６１を示す図である。
【００１４】    第１略垂直方向とは、上辺部４０及び下辺部４１を地面と平行にした時に上辺部４０に対して４５°〜１３５°の範囲内であり、第２垂直方向とは、上辺部４０及び下辺部４１を地面と平行にした時に下辺部４１に対して２２５°〜３１５°の範囲内である。
【００１５】    第１折り返し片５０と貨幣収納部１０、紙幣収納部２０、及びカード類収納部３０の取り出し口との隙間Ａの間隔は好ましくは０〜２０ｍｍ、より好ましくは０〜１５ｍｍ、更に好ましくは０〜１０ｍｍ、最も好ましくは０〜５ｍｍの範囲にすることで、貨幣収納部１０に留め具を設けることなく貨幣が財布内から不意に出ていくことを防ぐことが可能である。
【００１６】    留め具とは、ホック、バックル、手カン、マグネット、ファスナー、ヒネリ、錠前、差込、タブ（タブ差し）及びギボシ等を指す。
【００１７】    図３は、第２折り返し片５１を設けた場合、二つ折り財布を折り畳まない状態において、一時的に貨幣収納部１０の取り出し口の不意な開き防止ができる構造を示す図である。
【００１８】    図４は、第２折り返し片５１は用いず、財布本体の表面部４２上に第３留め具６２を設けた状態を示す図である。
【００１９】    図５は、財布本体の裏面部４５側に第１折り返し片５０と第２折り返し片５１を有した際、第３カード収納部３４を設けた状態を示す図である。
【００２０】    財布本体の裏面部４５の横幅Ｆは７０〜１２０ｍｍが好ましく、より好ましくは８０〜１１０ｍｍ、最も好ましくは９０〜１００ｍｍである。かつ、財布本体の裏面部４５の高さＧは６０〜１８０ｍｍが好ましく、より好ましくは７０〜１４０ｍｍ、更に好ましくは８０〜１２０ｍｍ、最も好ましくは、９０〜１１０ｍｍである。かつ、第３カード類収納部３４を設ける場合は、第１折り返し片５０の横幅Ｄと第２折り返し片の５１の横幅Ｈはそれぞれ、２０〜１２０ｍｍが好ましく、７０〜９０ｍｍが最も好ましい。
【００２１】    各寸法をこの範囲にすることで二つ折り財布が衣服のポケットから取り出し易くすることができる。
【符号の説明】
【００２２】    １０            貨幣収納部
２０            紙幣収納部
３０            カード類収納部（３１、３２、３３）
３１            第１カード類収納部
３２、３３      第２カード類収納部
３４            第３カード類収納部
４０            上辺部
４１            下辺部
４２            財布本体の表面部
４３            折り曲げた辺部
４４            逆側の辺部
４５            財布本体の裏面部
５０            第１折り返し片
５１            第２折り返し片
６０            第１留め具
６１            第２留め具
６２            第３留め具
７０            小物収納部
Ａ              隙間
Ｂ、Ｇ          高さ
Ｃ              奥行
Ｄ、Ｅ、Ｆ、Ｈ  横幅
【図１】
2019155042.tif 000003
【図２】
2019155042.tif 000004
【図３】
2019155042.tif 000005
【図４】
2019155042.tif 000006
【図５】
2019155042.tif 000007
【手続補正書】
【提出日】平成30年12月14日(2018.12.14)
【手続補正１】
【補正対象書類名】特許請求の範囲
【補正対象項目名】全文
【補正方法】変更
【補正の内容】
【特許請求の範囲】
【請求項１】
貨幣収納部１０、紙幣収納部２０、及びカード類収納部３０の取り出し口が同一方向で、かつ、取り出し口が近傍する上辺部４０に対して略垂直方向に折り返し可能で、かつ開閉可能な上辺部４０側に固定した同一辺上の折り返し片５０を少なくとも１つ以上有し、かつ、折り返し片５０を固定するための調整可能な留め具を有し、かつ、貨幣収納部１０に留め具を有さない、かつ、隙間Ａの間隔は０〜２０ｍｍ、かつ、上辺部４０を基準として貨幣収納部１０の取り出し口の高さＢは−２０〜２０ｍｍ、かつ、カード類収納部３１の奥行Ｃが０〜４０ｍｍ、かつ、折り返し片５０の横幅Ｄの長さは折り返し片５０の横幅Ｄと貨幣収納部１０の取り出し口の横幅Ｅとを中央揃えにした際、Ｄ−４０ｍｍ≦Ｅ≦Ｄ＋４０ｍｍの式を満たす範囲内、かつ、財布本体の裏面部４５の横幅Ｆは７０〜１２０ｍｍ、かつ、財布本体の裏面部４５の高さＧは６０〜１８０ｍｍとなることを特徴とする二つ折り財布。